(57)【要約】【課題】雑菌の含まれない飲料水を温水機等の被給水機器に給水する飲料水給水装置を提供することを目的とする。【解決手段】水タンク１１セット時、台車８を開口部５よりより引き出して水タンク１１を台車８に載置する。水タンク１１の水取出口１２に入口ホース１１の接続カプラ１２を接続する。その後、台車８を置台本体１内に押し戻して置台本体１内に収納した時に重量検知手段７が水タンク１１の重量を検知して一定時間前記水ポンプ１５を動作させるとともに、排水電磁弁１８を開放して水取出口１２付近の空気に触れた水を出口ホース１８から排水タンク１９へ排出させる。【選択図】          図２
2004231239.tif 000002
【特許請求の範囲】
【請求項１】
前面に開口部を有し箱状に形成され置台を兼ねた置台本体と、この置台本体の底板上に取付けられた重量検知手段と、前記置台本体に収納され前記開口部より出し入れ自在に設けられた台車と、水取出口を有する密閉型の水タンクと、一端側を前記水タンクの水取出口に接続される接続カプラを有するとともに他端側をポンプの入口側に接続される入口ホースと、一端側を前記ポンプの出口側に接続し他端側を分岐して一方を被給水機器に接続するとともに、他方を空気に触れた水を排水電磁弁を介して排水タンクに排出する出口ホースとを備えた飲料用給水装置において、前記水タンクセット時、前記台車を前記開口部よりより引き出して水タンクを前記台車に載置するとともに水タンクの水取出口に前記入口ホースの接続カプラを接続し、その後、前記台車を前記置台本体に押し戻して置台本体内に収納した時に前記重量検知手段が水タンクの重量を検知して一定時間前記ポンプを動作させるとともに、前記排水電磁弁を開放して前記水取出口付近の空気に触れた水を前記出口ホースから排水タンクへ排出させるようにしたことを特徴とする飲料用給水装置。
【発明の詳細な説明】
【０００１】
本発明は、密閉型の水タンクからの飲料水を使用して温水機等の被給水機器に給水するようにした飲料用給水装置に関する。
【０００２】
【従来技術】
従来、水タンクから温水機等の被給水機器に給水する飲料用給水装置は、図８に示されるように、温水機等の置台を兼ねた被給水機器ａを載置する置台本体ｂに水タンクｃを収納し、この水タンクｃの上部に設けられた給水口ｄより例えばポリタンクｅを用いて給水し、この給水された水タンクｃ内の飲料水を被給水機器ａに供給するようにしていた。しかし、このような飲料用給水装置によれば、水タンクｃは密閉式ではなく常に空気に触れ、このため数日の放置でも雑菌が繁殖しやすく非衛生的であった。そこで、この給水口ｄを有する水タンクｃに代えて空気に触れない密閉式のバッグインボックス方式の水タンクが用いられるようになった。
【０００３】
【発明が解決しようとする課題】
しかし、このバッグインボックス方式の水タンクの水取出口に被給水機器ａに飲料水を導くための入口ホースを接続する際に水タンクの水取出口付近の飲料水が空気に触れて雑菌を含んだ飲料水となって被給水機器ａに供給されてしまう恐れがあった。
【０００４】
本発明は、このような点に鑑みなされたもので、空気に触れて雑菌を含んだ飲料水を排出して雑菌の少ない飲料水を被給水機器に供給できるようにした飲料用給水装置を提供することを目的とする。
【０００５】
【課題を解決するための手段】
請求項１記載の飲料用給水装置は、前面に開口部を有し箱状に形成され置台を兼ねた置台本体と、この置台本体の底板上に取付けられた重量検知手段と、前記置台本体に収納され前記開口部より出し入れ自在に設けられた台車と、水取出口を有する密閉型の水タンクと、一端側を前記水タンクの水取出口に接続される接続カプラを有するとともに他端側をポンプの入口側に接続される入口ホースと、一端側を前記ポンプの出口側に接続し他端側を分岐して一方を被給水機器に接続するとともに、他方を空気に触れた水を排水電磁弁を介して排水タンクに排出する出口ホースとを備えた飲料用給水装置において、前記水タンクセット時、前記台車を前記開口部よりより引き出して水タンクを前記台車に載置するとともに水タンクの水取出口に前記入口ホースの接続カプラを接続し、その後、前記台車を前記置台本体に押し戻して置台本体内に収納した時に前記重量検知手段が水タンクの重量を検知して一定時間前記ポンプを動作させるとともに、前記排水電磁弁を開放して前記水取出口付近の空気に触れた水を前記出口ホースから排水タンクへ排出させるようにたものである。
【０００６】
そして、この構成により、空気に触れて雑菌を含んだ飲料水を排出して雑菌の少ない飲料水を被給水機器に供給できる。
【０００７】
【発明の実施の形態】
以下、本発明の一実施の形態を図面を参照して説明する。
【０００８】
【実施例】
図１に、飲料用給水装置の被給水機器に温水機を適用した構成図を示し、１は扉２を有した置台を兼ねた置台本体で、この置台本体１の上面置台部分には前面にカップステーション３を備えた被給水機器となる温水機４が載置されている。そして、この置台本体１は図２に示されるように扉２に対向した前面に開口部５を有した箱状に形成されている。また、置台本体１の底板６には重量検知手段７が配設されている。８は台車で、この台車８は上方を開放した皿状に形成され重量検知手段７に対向した位置に重量検知用穴９と移動用の複数のローラ１０を有し置台本体１の開口部５から置台本体１内に対して出し入れ自在となっている。
【０００９】
１１はバッグインボックス方式の密閉式の水タンクで、この水タンク１１は予め天然水等の飲料水が収納され一側面下部には図示しない逆止弁を有した水取出口１２を有し置台本体１内に収納されるようになっている。１３は入口ホースで、この入口ホース１３は一端側に水タンク１１の水取出口１２に接続される接続カプラ１４を有し他端側はポンプ１５の入口側に接続されるようになっている。１６は出口ホースで、この出口ホース１６はポンプ１５の出口側に接続されるとともに途中から分岐して、一方は図５に示される温水機に適用した被給水機器４にメス側継手１７を介して接続され、他方は排水電磁弁１８を介して置台本体１内に収納された排水タンク１９に接続されるようになっている。
【００１０】
置台本体１上に載置された温水機に適用した被給水機器４は、出口ホース１６のメス側継手１７と給水電磁弁２０を有する接続パイプ２１のオス側継手２２との結合により接続される接続パイプ２１を有し、この接続パイプ２１を介して飲料水を導いて貯留される湯タンク２３を有している。そして、この湯タンク２３には水タンク１１から導かれた飲料水の水位を一定の水位に保つフロートスイッチ２４と、水タンク１１から導かれた飲料水を沸き上げるヒータ２５と、この沸き上げられた湯を湯電磁弁２６を介して抽出する抽出パイプ２７とが設けられている。
【００１１】
次に、本実施の形態の作用を説明する。
【００１２】
水タンク１１を置台本体１内の台車８に最初にセットする時や水タンク１１内の飲料水が少なくなり水タンク１１を交換する時に、まず、図７に示されるように台車８を置台本体１の開口部５より手前に台車８全長の１／３程度をローラ１０を介して引き出し水タンク１１を台車８上に載置する。そして、この状態で入口ホース１３の接続カプラ１４を水タンク１１の水取出口１２に接続する。この時重量検知手段７は図６のタイムチャート図に示されるようにオフ信号を検出している。
【００１３】
次に、水取出口１２に接続カプラ１が接続されたら台車８を図４に示されるように押し戻して置台本体１内に収納させる。そして、この状態で水タンク１１の重量が重量検知用穴９を通して重量検知手段７に作用し図６のタイムチャート図に示されるように重量検知手段７は水タンク１１内に所定の飲料水がある限りオン信号を発しつづける。そして、このオン信号により排水電磁弁１８とポンプ１５が同時にオンし図６のタイムチャート図に示されるように一定時間排水電磁弁１８を開放するとともにポンプ１５を駆動して取出口１２付近の空気に触れた飲料水を排水タンク１９へ排出させ被給水機器４からの給水要求に備えられる。したがって、この排水動作により水取出口１２付近の空気に触れた雑菌を含んだ飲料水は温水機に適用された被給水機器４に給水されることなく衛生的である。
【００１４】
一方、温水機に適用された被給水機器４はヒータ２５の通電により沸き上げられ、この沸き上げられた温水は湯電磁弁２６を開放して飲料用の湯として利用される。そして、この湯の利用により湯タンク２３内の水位が所定量以下に低下するとフロートスイッチ２４から給水要求信号を給水電磁弁２０および図６のタイムチャート図に示されるようにポンプ１５に発し、この給水要求信号に基づいて給水電磁弁２０が開かれるとともに、ポンプ１５が駆動して水位低下分に相当する量の飲料水を水タンク１１内から入口ホース１３、出口ホース１６、接続パイプ２０を通じて湯タンク２３内に飲料水が給水される。
【００１５】
なお、被給水機器４は温水機の実施例で説明したがこれに限らず冷水機に用いても良い。
【００１６】
【発明の効果】
請求項１記載によれば、空気に触れて雑菌を含んだ飲料水を排出して雑菌の少ない飲料水を被給水機器に供給できる。
【図面の簡単な説明】
【図１】本発明の一実施形態を示す飲料用給水装置の外観斜視図である。
【図２】同上、飲料用給水装置の置台内を説明する分解斜視図である。
【図３】同上、飲料用給水装置の入口ホースと水タンクの水取出口との接続部分を説明する説明図である。
【図４】同上、飲料用給水装置の水タンク収納時の構成と作用を説明する説明図である。
【図５】同上、飲料用給水装置の温水機に適用した被給水機器の構成図である。
【図６】同上、飲料用給水装置のタイムチャート図である。
【図７】同上、飲料用給水装置の水タンク交換時の作用を説明する説明図である。
【図８】従来の飲料用給水装置の水タンクへの補給操作を説明する外観斜視図である。
【符号の説明】
１    置台本体
４    被給水機器としての温水機
５    開口部
６    底板
７    重量検知手段
８    台車
９    重量検知用穴
１０    ローラ
１１    水タンク
１２    水取出口
１３    入口ホース
１４    接続カプラ
１５    ポンプ
１６    出口ホース
１８    排水電磁弁
１９    排水タンク
２０    給水電磁弁
２１    接続パイプ
２３    湯タンク
２４    フロートスイッチ
２５    ヒータ
２６    湯電磁弁
２７    抽出パイプ
【図１】
2004231239.tif 000003
【図２】
2004231239.tif 000004
【図３】
2004231239.tif 000005
【図４】
2004231239.tif 000006
【図５】
2004231239.tif 000007
【図６】
2004231239.tif 000008
【図７】
2004231239.tif 000009
【図８】
2004231239.tif 000010